【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
第１の残留ヒドロキシル含量を有する第１のポリ（ビニルブチラール）樹脂；
第２の残留ヒドロキシル含量を有し、第１の残留ヒドロキシル含量と第２の残留ヒドロキシル含量との間の差は少なくとも２．０重量％である第２のポリ（ビニルブチラール）樹脂；及び
可塑剤；
を含む少なくとも１つの軟質層；
第３の残留ヒドロキシル含量を有する第３のポリ（ビニルブチラール樹脂）；及び
可塑剤；
を含む少なくとも１つのより硬質の層；
を含み；
（ＩＳＯ−１６９４０にしたがう機械インピーダンス測定によって測定して）少なくとも約０．１５の減衰損失係数（η）を有する、アイスフラワー欠陥の形成に抵抗するポリマー中間層。
【請求項２】
第１の残留ヒドロキシル含量を有する第１のポリ（ビニルブチラール）樹脂；
第２の残留ヒドロキシル含量を有し、第１の残留ヒドロキシル含量と第２の残留ヒドロキシル含量との間の差は少なくとも２．０重量％である第２のポリ（ビニルブチラール）樹脂；及び
可塑剤；
を含む少なくとも１つの軟質層；
第３の残留ヒドロキシル含量を有する第３のポリ（ビニルブチラール樹脂）；及び
可塑剤；
を含む少なくとも１つのより硬質の層；
を含み；
ポリマー中間層の軟質層は少なくとも２つのガラス転移温度（Ｔｇ）を有し、２つの異なるガラス転移温度（Ｔｇ）の間の差は少なくとも３℃である、アイスフラワー欠陥の形成に抵抗するポリマー中間層。
【請求項３】
第２のポリ（ビニルブチラール）樹脂は約５重量％〜約４５重量％の量で存在する、請求項１又は２に記載のポリマー中間層。
【請求項４】
第１の残留ヒドロキシル含量を有する第１のポリ（ビニルブチラール）樹脂；
第２の残留ヒドロキシル含量を有し、第１の残留ヒドロキシル含量と第２の残留ヒドロキシル含量との間の差は少なくとも２．０重量％である第２のポリ（ビニルブチラール）樹脂；及び
可塑剤；
を含む少なくとも１つの軟質層；
第３の残留ヒドロキシル含量を有する第３のポリ（ビニルブチラール樹脂）；及び
可塑剤；
を含む少なくとも１つのより硬質の層；
を含み；
（ＩＳＯ−１６９４０にしたがう機械インピーダンス測定によって測定して）少なくとも約０．１５の減衰損失係数（η）を有し、
第２のポリ（ビニルブチラール）樹脂は約５重量％〜約４５重量％の量で存在する、アイスフラワー欠陥の形成に抵抗するポリマー中間層。
【請求項５】
第２のポリ（ビニルブチラール）樹脂は約１０重量％〜約４０重量％の量で存在する、請求項１から４のいずれかに記載のポリマー中間層。
【請求項６】
ポリマー中間層の軟質層は１５℃未満の少なくとも１つのガラス転移温度（Ｔｇ）を有する、請求項１から５のいずれかに記載のポリマー中間層。
【請求項７】
第３のポリ（ビニルブチラール樹脂）の残留ヒドロキシル含量は、第１のポリ（ビニルブチラール樹脂）又は第２のポリ（ビニルブチラール樹脂）の残留ヒドロキシル含量と同等である、請求項１から６のいずれかに記載のポリマー中間層。
【請求項８】
第１の残留ヒドロキシル含量と第２の残留ヒドロキシル含量との間の差は少なくとも４．０重量％である、請求項１から７のいずれかに記載のポリマー中間層。
【請求項９】
第１の残留ヒドロキシル含量と第２の残留ヒドロキシル含量との間の差は少なくとも６．０重量％である、請求項１から８のいずれかに記載のポリマー中間層。
【請求項１０】
ポリマー中間層は少なくとも２つの異なるガラス転移温度（Ｔｇ）を有し、少なくとも２つの異なるガラス転移温度（Ｔｇ）の間の差は少なくとも３℃である、請求項１又は４に記載のポリマー中間層。
【請求項１１】
ポリマー中間層は少なくとも２つの異なるガラス転移温度（Ｔｇ）を有し、少なくとも２つの異なるガラス転移温度（Ｔｇ）の間の差は少なくとも５℃である、請求項１から１０のいずれかに記載のポリマー中間層。
【請求項１２】
請求項１から１１のいずれかに記載のポリマー中間層を含む多層ガラスパネル。
【請求項１３】
第１のガラスパネル；
請求項１から１１のいずれかに記載のポリマー中間層；
第２のガラスパネル；
を含み、
ポリマー中間層は第１のガラスパネルと第２のガラスパネルの間に配置されている多層ガラスパネル。
【手続補正２】
【補正対象書類名】明細書
【補正対象項目名】００９２
【補正方法】変更
【補正の内容】
【００９２】
[094]更に、本発明の任意の単一の構成要素に関して与えられている任意の範囲、値、又は特徴は、互換的な場合には、本発明の任意の他の構成要素に関して与えられている任意の範囲、値、又は特徴と互換的に用いて、本明細書全体にわたって与えられているそれぞれの構成要素に関して規定されている値を有する一態様を形成することができることが理解される。例えば、与えられている任意の範囲の可塑剤を含むことに加えて、与えられている任意の範囲の残留ヒドロキシル含量を有するポリ（ビニルブチラール）を含む中間層を形成して、本発明の範囲内であるが、列記するのは煩雑である多くの変形体を形成することができる。更に、フタレート又はベンゾエートのような属又はカテゴリーに関して与えられている範囲はまた、他に示していない限りにおいて、ジオクチルテレフタレートのようなカテゴリーの属又は構成要素の中の種に適用することもできる。
本発明は以下の実施態様を含む。
（１）第１の残留ヒドロキシル含量を有する第１のポリ（ビニルブチラール）樹脂；
第２の残留ヒドロキシル含量を有し、第１の残留ヒドロキシル含量と第２の残留ヒドロキシル含量との間の差は少なくとも２．０重量％である第２のポリ（ビニルブチラール）樹脂；及び
可塑剤；
を含む少なくとも１つの軟質層；
第３の残留ヒドロキシル含量を有する第３のポリ（ビニルブチラール樹脂）；及び
可塑剤；
を含む少なくとも１つのより硬質の層；
を含み；
（ＩＳＯ−１６９４０にしたがう機械インピーダンス測定によって測定して）少なくとも０．１５の減衰損失係数（η）を有する、アイスフラワー欠陥の形成に抵抗するポリマー中間層。
（２）第２のポリ（ビニルブチラール）樹脂は５重量％〜４５重量％の量で存在する、（１）に記載のポリマー中間層。
（３）第２のポリ（ビニルブチラール）樹脂は１０重量％〜４０重量％の量で存在する、（１）に記載のポリマー中間層。
（４）ポリマー中間層の軟質層は１５℃未満の少なくとも１つのガラス転移温度（Ｔｇ）を有する、（１）に記載のポリマー中間層。
（５）第３のポリ（ビニルブチラール樹脂）の残留ヒドロキシル含量は、第１のポリ（ビニルブチラール樹脂）又は第２のポリ（ビニルブチラール樹脂）の残留ヒドロキシル含量と同等である、（１）に記載のポリマー中間層。
（６）第１の残留ヒドロキシル含量と第２の残留ヒドロキシル含量との間の差は少なくとも４．０重量％である、（１）に記載のポリマー中間層。
（７）第１の残留ヒドロキシル含量と第２の残留ヒドロキシル含量との間の差は少なくとも６．０重量％である、（１）に記載のポリマー中間層。
（８）ポリマー中間層は少なくとも２つの異なるガラス転移温度（Ｔｇ）を有し、少なくとも２つの異なるガラス転移温度（Ｔｇ）の間の差は少なくとも３℃である、（１）に記載のポリマー中間層。
（９）第１の残留ヒドロキシル含量を有する第１のポリ（ビニルブチラール）樹脂；
第２の残留ヒドロキシル含量を有し、第１の残留ヒドロキシル含量と第２の残留ヒドロキシル含量との間の差は少なくとも２．０重量％である第２のポリ（ビニルブチラール）樹脂；及び
可塑剤；
を含む少なくとも１つの軟質層；
第３の残留ヒドロキシル含量を有する第３のポリ（ビニルブチラール樹脂）；及び
可塑剤；
を含む少なくとも１つのより硬質の層；
を含み；
（ＩＳＯ−１６９４０にしたがう機械インピーダンス測定によって測定して）少なくとも約０．１５の減衰損失係数（η）を有し、第２のポリ（ビニルブチラール）樹脂は５重量％〜４５重量％の量で存在する、アイスフラワー欠陥の形成に抵抗するポリマー中間層。
（１０）ポリマー中間層の軟質層は１５℃未満の少なくとも１つのガラス転移温度（Ｔｇ）を有する、（９）に記載のポリマー中間層。
（１１）第３のポリ（ビニルブチラール樹脂）の残留ヒドロキシル含量は、第１のポリ（ビニルブチラール樹脂）又は第２のポリ（ビニルブチラール樹脂）の残留ヒドロキシル含量と同等である、（９）に記載のポリマー中間層。
（１２）第１の残留ヒドロキシル含量と第２の残留ヒドロキシル含量との間の差は少なくとも４．０重量％である、（９）に記載のポリマー中間層。
（１３）第１の残留ヒドロキシル含量と第２の残留ヒドロキシル含量との間の差は少なくとも６．０重量％である、（９）に記載のポリマー中間層。
（１４）ポリマー中間層は少なくとも２つの異なるガラス転移温度（Ｔｇ）を有し、少なくとも２つの異なるガラス転移温度（Ｔｇ）の間の差は少なくとも３℃である、（９）に記載のポリマー中間層。
（１５）第１の残留ヒドロキシル含量を有する第１のポリ（ビニルブチラール）樹脂；
第２の残留ヒドロキシル含量を有し、第１の残留ヒドロキシル含量と第２の残留ヒドロキシル含量との間の差は少なくとも２．０重量％である第２のポリ（ビニルブチラール）樹脂；及び
可塑剤；
を含む少なくとも１つの軟質層；
第３の残留ヒドロキシル含量を有する第３のポリ（ビニルブチラール樹脂）；及び
可塑剤；
を含む少なくとも１つのより硬質の層；
を含み；
ポリマー中間層の軟質層は少なくとも２つのガラス転移温度（Ｔｇ）を有し、２つの異なるガラス転移温度（Ｔｇ）の間の差は少なくとも３℃である、アイスフラワー欠陥の形成に抵抗するポリマー中間層。
（１６）第２のポリ（ビニルブチラール）樹脂は５重量％〜４５重量％の量で存在する、（１５）に記載のポリマー中間層。
（１７）第２のポリ（ビニルブチラール）樹脂は１０重量％〜４０重量％の量で存在する、（１５）に記載のポリマー中間層。
（１８）ポリマー中間層の軟質層の１つのガラス転移温度（Ｔｇ）は１５℃未満である、（１５）に記載のポリマー中間層。
（１９）第１の残留ヒドロキシル含量と第２の残留ヒドロキシル含量との間の差は少なくとも４．０重量％である、（１５）に記載のポリマー中間層。
（２０）第１の残留ヒドロキシル含量と第２の残留ヒドロキシル含量との間の差は少なくとも６．０重量％である、（１５）に記載のポリマー中間層。